(57)【特許請求の範囲】
【請求項１】
光ケーブルの光ファイバが挿入されて固定されると共に、後端にフランジが圧入保持されるフェルールと、フランジ後端に当接しフェルールを前方に付勢するスプリングの後端を支持するストップリングと、これら各部材を覆うプラグフレームと、光ケーブルのケブラを前記ストップリングに固定するカシメリングと、前記ストップリングに可動手段を介してブーツを装着した旋回屈曲式コネクタであって、前記可動手段は、ブーツを水平軸の廻りに正逆回転方向に旋回可能にすると共に、旋回後のブーツの曲げ方向を水平軸に対し一方向へ屈曲可能に形成されるよう、ストップリングに嵌合固定された回転軸カバーと、該回転軸カバーに対し水平軸の廻りに正逆回転方向に旋回自在に連繋された旋回カバーと、該旋回カバー内で水平軸に対し一方向に９０度まで屈曲自在に連繋され且つブーツを後端に固定してなる屈曲カバーとを備えてなることを特徴とする旋回屈曲式コネクタ。
【請求項２】
可動手段は、回転軸カバーが嵌合する旋回カバーの内周に沿って複数の凹部を有し、これら各凹部に、回転軸カバーの開口端前方に向けて突設された複数の凸部がそれぞれ係合して当該旋回カバーを任意の旋回角度位置で固定可能とするよう形成されている請求項１記載の旋回屈曲式コネクタ。
【請求項３】
可動手段は、旋回カバー内面に形成された円弧状のガイド溝と、該ガイド溝に係合するよう屈曲カバーに突設した凸部とを備え、屈曲カバーを水平位置および９０度の角度位置で固定可能となるよう前記ガイド溝の両端に、屈曲カバーの前記凸部を嵌合可能とした凹部を備えてなる請求項１または２記載の旋回屈曲式コネクタ。
【請求項４】
可動手段は、回転軸カバーおよび屈曲カバーとの間に内部カバーを介装し、該内部カバーは屈曲カバーに押されて９０度屈曲位置で回転軸カバーに係止されて当該回転軸カバーに対する旋回カバーの回転を阻止させるよう回転軸カバーに凹凸状の回転制御部を備えてなる請求項１乃至３のいずれかに記載の旋回屈曲式コネクタ。
【請求項５】
前記回転制御部は、屈曲カバーの９０度屈曲位置から水平位置までの復帰移動によって当該屈曲カバーにより内部カバーが押されて回転軸カバーとの係止を解除させることで回転軸カバーに対する旋回カバーの回転を許容させるよう形成されている請求項４に記載の旋回屈曲式コネクタ。
【請求項６】
ストップリングと回転軸カバーとは、ストップリング外周の円周に沿って凹設された嵌合凹部に、回転軸カバーの開口端における内周に沿って突設された左右一対の嵌合突部を嵌合させると共に、回転軸カバーの開口端に突設した上下一対の係止片を、ストップリング外周を覆うプラグフレームの上下一対のキー溝に係止させることで固定される請求項１乃至５のいずれかに記載の旋回屈曲式コネクタ。
【発明の詳細な説明】
【技術分野】
【０００１】
本発明は、各種光通信機器を接続するために室内壁面に設置された光コンセントアダプタに接続する旋回屈曲式コネクタに関する。
【背景技術】
【０００２】
近年、ＦＴＴＨ（ｆｉｂｅｒ  ｔｏ  ｔｈｅ  ｈｏｍｅ）が進み、部屋の中に光コンセントを設置するようになってきている。そこで従来では、特許文献１に開示されているように、室内の壁面に設けたアウトレットボックスに複数の光コンセントを取り付け、当該光コンセント内に保持された接続アダプタに、光ファイバコード等の外部光コネクタプラグを壁面に対し垂直に挿入して接続するアウトレット部品なる技術が提案されている。
【０００３】
しかしながら、従来の外部光コネクタプラグは、壁面に対し垂直に挿入して接続するため、当該外部光コネクタプラグ自体が壁面から垂直に突出した状態となる。このため、外部光コネクタプラグが邪魔になり、周辺機器がこれにぶつかって破損する等の事故が予想される。
【０００４】
そこで、ブーツを直角に屈曲変形させて形成し、この先端を光コネクタプラグのストップリングの末端に装着固定してなる所謂曲げ式コネクタを使用する等の何等かの対策を採ることが必要となってきている。このとき、光コネクタプラグのツマミ片側には、接続アダプタのキー孔に挿入可能なガイド突起が形成されている。
【特許文献１】特開２００５−１０６９３７号公報
【発明の開示】
【発明が解決しようとする課題】
【０００５】
ただ、従来においては、曲げ式コネクタプラグのストップリングの末端にブーツを一度装着すると、別部品への変更が必要となり、このため、作業に手間と時間が掛かるものとなっていた。
【０００６】
また、従来の曲げ式コネクタは、ツマミ片側に接続アダプタのキー孔に挿入可能なガイド突起が形成されているため、ブーツをストップリングに装着したまま曲げ式コネクタプラグごと向きを変えることは不可能となる。しかも、光ファイバが直角に曲げられたままの状態で曲げ式コネクタプラグ自体を正逆回転方向に旋回させると、ファイバ芯線材に捻れや過度のストレスが発生してしまう。
【０００７】
さらに、ブーツを直角に屈曲変形させて形成した場合には、内部の光ファイバ自体が一箇所で直角となって極端に曲げられてしまい、光ファイバの曲げ半径を十分に採れないものとなることから、伝送損失の増加を招いてしまうという問題点を有していた。
【０００８】
そこで、本発明は、叙上のような従来存した諸事情に鑑み案出されたもので、別部品への影響がなく、ブーツの向きの調整がワンタッチで短時間に行えると共に、光ファイバが直角に曲げられたままの状態で旋回させてブーツの向きを変えることによるファイバ芯線材の捻れや過度のストレスの発生を未然に防止することができ、さらに光ファイバの曲げ半径を十分に採れるように屈曲可能とすることで、伝送損失の増加を抑制できるものとした旋回屈曲式コネクタを提供することを目的とする。
【課題を解決するための手段】
【０００９】
上述した課題を解決するため、本発明にあっては、光ケーブルの光ファイバが挿入されて固定されると共に、後端にフランジが圧入保持されるフェルールと、フランジ後端に当接しフェルールを前方に付勢するスプリングの後端を支持するストップリングと、これら各部材を覆うプラグフレームと、光ケーブルのケブラを前記ストップリングに固定するカシメリングと、前記ストップリングに可動手段を介してブーツを装着した旋回屈曲式コネクタであって、前記可動手段は、ブーツを水平軸の廻りに正逆回転方向に旋回可能にすると共に、旋回後のブーツの曲げ方向を水平軸に対し一方向へ屈曲可能に形成されるよう、ストップリングに嵌合固定された回転軸カバーと、該回転軸カバーに対し水平軸の廻りに正逆回転方向に旋回自在に連繋された旋回カバーと、該旋回カバー内で水平軸に対し一方向に９０度まで屈曲自在に連繋され且つブーツを後端に固定してなる屈曲カバーとを備えてなることを特徴とする。
【００１０】
可動手段は、回転軸カバーが嵌合する旋回カバーの内周に沿って複数の凹部を有し、これら各凹部に、回転軸カバーの開口端前方に向けて突設された複数の凸部がそれぞれ係合して当該旋回カバーを任意の旋回角度位置で固定可能とするよう形成されている。
【００１１】
可動手段は、旋回カバー内面に形成された円弧状のガイド溝と、該ガイド溝に係合するよう屈曲カバーに突設した凸部とを備え、屈曲カバーを水平位置および９０度の角度位置で固定可能となるよう前記ガイド溝の両端に、屈曲カバーの前記凸部を嵌合可能とした凹部を備えてなる。
【００１２】
可動手段は、回転軸カバーおよび屈曲カバーとの間に内部カバーを介装し、該内部カバーは屈曲カバーに押されて９０度屈曲位置で回転軸カバーに係止されて当該回転軸カバーに対する旋回カバーの回転を阻止させるよう回転軸カバーに凹凸状の回転制御部を備えてなる。
【００１３】
前記回転制御部は、屈曲カバーの９０度屈曲位置から水平位置までの復帰移動によって当該屈曲カバーにより内部カバーが押されて回転軸カバーとの係止を解除させることで回転軸カバーに対する旋回カバーの回転を許容させるよう形成されている。
【００１４】
ストップリングと回転軸カバーとは、ストップリング外周の円周に沿って凹設された嵌合凹部に、回転軸カバーの開口端における内周に沿って突設された左右一対の嵌合突部を嵌合させると共に、回転軸カバーの開口端に突設した上下一対の係止片を、ストップリング外周を覆うプラグフレームの上下一対のキー溝に係止させることで固定される。
【発明の効果】
【００１５】
本発明によれば、別部品への影響がなく、ブーツの向きの調整がワンタッチで短時間に行えると共に、光ファイバが直角に曲げられたままの状態で旋回させてブーツの向きを変えることによるファイバ芯線材の捻れや過度のストレスの発生を未然に防止することができ、さらに光ファイバの曲げ半径を十分に採れるように屈曲可能とすることで、伝送損失の増加を抑制することができる。
【００１６】
すなわち、本発明において可動手段は、ブーツを水平軸の廻りに正逆回転方向に旋回可能にすると共に、旋回後のブーツの曲げ方向を水平軸に対し一方向に屈曲可能に形成されているので、ブーツの向きの変更毎に、旋回屈曲式コネクタのストップリングからブーツをわざわざ取り外す必要が無くなり、したがって、ブーツの向きの調整がワンタッチで容易且つ短時間に行える。これと同時に、光ファイバの曲げ半径を十分に採れることから、伝送損失の増加を抑制することができる。
【００１７】
また、可動手段は、ストップリングに嵌合固定された回転軸カバーと、該回転軸カバーに対し水平軸の廻りに正逆回転方向に旋回自在に連繋された旋回カバーと、該旋回カバー内で水平軸に対し一方向に９０度まで屈曲自在に連繋され且つブーツを固定してなる屈曲カバーとを備えてなるので、簡単な構成により、ブーツの向きの調整が確実且つスムーズに行える。しかも、簡単な構成によって屈曲されたブーツの向きの確保が容易となる。さらに、内挿されている光ケーブルを隠蔽された状態で水平軸の廻りの回転や水平方向からの屈曲を許容させるよう旋回カバーおよび屈曲カバーの内部に曲げスペースが形成されることから、ブーツの方向調整に際して光ケーブルを損傷させることが無い。
【００１８】
そして、可動手段は、回転軸カバーが嵌合する旋回カバーの内周に沿って複数の凹部を有し、これら各凹部に、回転軸カバーの開口端前方に向けて突設された複数の凸部がそれぞれ係合して当該旋回カバーを任意の旋回角度位置で固定可能とするよう形成されているので、回転軸カバーに対する旋回カバーの不用意な回転を防止することができる。
【００１９】
さらに、可動手段は、旋回カバー内面に形成された円弧状のガイド溝と、該ガイド溝に係合するよう屈曲カバーに突設した凸部とを備え、屈曲カバーを水平位置および９０度の角度位置で固定可能となるよう前記ガイド溝の両端に、屈曲カバーの前記凸部を嵌合可能とした凹部を備えてなるので、屈曲カバーの旋回カバーに対する過度な回転を未然に防止することができ、これによって光ケーブルを損傷させることが無い。
【００２０】
さらにまた、可動手段は、回転軸カバーおよび屈曲カバーとの間に内部カバーを介装し、該内部カバーは屈曲カバーに押されて９０度屈曲位置で回転軸カバーに係止されて当該回転軸カバーに対する旋回カバーの回転を阻止させるよう回転軸カバーに凹凸状の回転制御部を備えているので、従来のように、光ファイバが直角に曲げられたままの状態で旋回動作に入ることによってファイバ芯線材に捻れや過度のストレスが発生してしまうのを未然に防止することができる。
【００２１】
前記回転制御部は、屈曲カバーの９０度屈曲位置から水平位置までの復帰移動によって当該屈曲カバーにより内部カバーが押されて回転軸カバーとの係止を解除させることで回転軸カバーに対する旋回カバーの回転を許容させるよう形成されているので、光ファイバが直角に曲げられたままの状態で旋回してしまうのを未然に防止することができる。
【００２２】
ストップリングと回転軸カバーとは、ストップリング外周の円周に沿って凹設された嵌合凹部に、回転軸カバーの開口端における内周に沿って突設された左右一対の嵌合突部を嵌合させると共に、回転軸カバーの開口端に突設した上下一対の係止片を、ストップリング外周を覆うプラグフレームの上下一対のキー溝に係止させることで固定されるので、ストップリングに回転軸カバーを嵌合した際には、プラグフレームのキー溝に嵌合した係止片によって回転軸カバー自体に廻り止め機能を付与させることができる。
【発明を実施するための最良の形態】
【００２３】
以下、図面を参照して本発明に係る旋回屈曲式コネクタを実施するための最良の一形態を詳細に説明する。
本発明に係る旋回屈曲式コネクタ１は、図１０（ａ）および図１０（ｂ）に示すように、各種光通信機器を接続するために室内の壁面に設置されたアウトレットボックスＭに内装された光コンセントアダプタＱに接続するものである。
【００２４】
旋回屈曲式コネクタ１は、図１に示すように、光ファイバ芯線ａが挿入されて固定されると共に、後端にフランジ２１が圧入保持されるフェルール２と、フランジ２１後端に当接しフェルール２を前方に付勢するスプリング４の後端を支持するストップリング５と、これら各部材を覆うプラグフレーム３と、光ケーブルＰの抗張力線であるケブラＰ１を前記ストップリング５に固定すると同時に、ストップリング５後端側に配したアイレット７に、光ケーブルＰのケブラＰ１外側を覆う合成樹脂外皮であるシースＰ２を固定するカシメリング６と、前記ストップリング５の後方に、後述する可動手段１０を介して装着されるブーツ８と、プラグフレーム３およびストップリング５の外側に被せられるツマミ９とから概ね構成されている。
【００２５】
フェルール２は、光ファイバ芯線ａの先端が挿入後、接着剤等で接着されることにより光ファイバ芯線ａを固定するものである。また、フェルール２は、プラグフレーム３に覆われることによりその保護がなされている。
【００２６】
スプリング４はコイルばねからなり、フランジ２１およびストップリング５の間に挟まれるように配置されることにより、その先端がフランジ２１後端に当接され、後端がストップリング５に支持されている。このようにストップリング５に後端が支持されることにより、スプリング４はフランジ２１と共にフェルール２を前方に付勢するように作用する。
【００２７】
プラグフレーム３には、図３および図４に示すように、フェルール２、フランジ２１およびスプリング４と共に、ストップリング５の前方部分が挿入されている。この場合、ストップリング５の前方部分における外面上方には凸部５ａが形成されており、この凸部５ａが、プラグフレーム３に対するストップリング５挿入時のガイドの役割を果たす。一方、ストップリング５の下方に略Ｃリング状に突設したフック部３ａがプラグフレーム３の円弧状の係止孔３ｂに係止されることで抜け止めの役割を果たす。
【００２８】
ストップリング５の後方には、当該ストップリング５に対して旋回可能および屈曲可能としてなる可動手段１０を介してブーツ８が取り付けられている。すなわち、この可動手段１０によって、ブーツ８を水平軸の廻り方向へ正逆回転方向に、例えば４５度間隔毎に旋回可能にすると共に、旋回後のブーツ８の曲げ方向を水平軸に対し一方向に９０度だけ屈曲可能となるようにしてある。
【００２９】
具体的には、可動手段１０は、図２（ａ）に示すように、ストップリング５に固定される回転軸カバー１０ａと、該回転軸カバー１０ａに回動自在に連繋された旋回カバー１０ｃと、該旋回カバー１０ｃ内で回動自在に連繋され且つブーツ８を固定してなる屈曲カバー１０ｂと、旋回カバー１０ｃおよび屈曲カバー１０ｂ間に介装させた内部カバー１０ｄとから構成されている。
【００３０】
すなわち、旋回カバー１０ｃは、図２（ａ）に示すように、略左右対称となった２つ割構造となっており、一方の旋回カバー１０ｃの内側に形成した軸部１１に、下端が円弧面となった全体略Ｌ字片状の内部カバー１０ｄを介して、ブーツ８を後端に固定した屈曲カバー１０ｂが回動自在に枢着され、該左右の旋回カバー１０ｃそれぞれの一端に形成された各半円形状の開口部に前記回転軸カバー１０ａのフランジを挟み込むようにして、当該左右の旋回カバー１０ｃそれぞれをパッチン爪による嵌合方式によって互いに合致固定させることで図２（ｂ）に示すような可動手段１０が形成されるものとしてある。
【００３１】
回転軸カバー１０ａは、図２（ａ）、図７（ａ）、図８（ａ）乃至（ｈ）、図９（ａ）乃至（ｅ）に示すように、光ケーブルＰを挿通させる円筒によって形成され、当該回転軸カバー１０ａの一端開口側に環状となって形成されたフランジの前面には４つの凹部３１を介して４つの円弧形突起状のヒンジ突起部３２が前方に向けて一体延設されていることで屈曲カバー１０ｂの回転制御部１６が形成されている。また、これらヒンジ突起部３２の各中央には凸部３３が前方に向けて突設されている。
【００３２】
そして、旋回カバー１０ｃ内面隅部には、図２（ａ）、図６（ａ）乃至（ｆ）、図７（ｂ）、図８（ａ）に示すように、円弧状のガイド溝３４が形成され、該ガイド溝３４には屈曲カバー１０ｂの側面に突設した凸部３５が係合している。さらに、ガイド溝３４の両端には、屈曲カバー１０ｂの前記凸部３５を嵌合可能とした係止凹部３６が形成されており、屈曲カバー１０ｂを水平位置および９０度の角度位置でそれぞれ固定可能となるようにしてある。
【００３３】
また、図８（ａ）乃至（ｈ）に示すように、回転軸カバー１０ａのヒンジ突起部３２の各中央の凸部３３に対向すべく、旋回カバー１０ｃの開口部内周に沿って複数の凹部３７が形成され、これら各凹部３７に、回転軸カバー１０ａの複数の凸部３３がそれぞれ係合される所謂ラッチ嵌合構造とすることで、当該旋回カバー１０ｃを任意の旋回角度位置で固定可能となるようにする。
【００３４】
すなわち、図８（ａ）・（ｂ）に示すように、回転軸カバー１０ａに対して旋回カバー１０ｃが定位置にある状態から、図８（ｃ）・（ｄ）に示すように、回転軸カバー１０ａに対して旋回カバー１０ｃが９０度旋回した場合、あるいは図８（ｅ）・（ｆ）に示すように、回転軸カバー１０ａに対して旋回カバー１０ｃが定位置から１８０度旋回した場合、さらには図８（ｇ）・（ｈ）に示すように、回転軸カバー１０ａに対して旋回カバー１０ｃが定位置から２７０度旋回した場合のそれぞれにおいて、旋回カバー１０ｃの各凹部３７に、回転軸カバー１０ａの各凸部３３がそれぞれ係合されるものとなっている。
【００３５】
この回転軸カバー１０ａの他端開口側には、図２（ａ）・（ｂ）、図３、図４に示すように、内周に沿って左右一対の嵌合突部１３が対向突設され、ストップリング５外周の円周に沿って凹設された嵌合凹部１２に当該嵌合突部１３を嵌合させると共に、回転軸カバー１０ａの他端開口側の上下に対向突設した一対の係止片１４を、ストップリング５外周を覆うプラグフレーム３の上下一対のキー溝１５に係止させるものとし、これによって回転軸カバー１０ａはストップリング５およびプラグフレーム３に対して所要の角度で固定保持される。
【００３６】
また、屈曲カバー１０ｂは、図１、図２（ａ）、図５、図６、図９に示すように、光ケーブルＰが挿通できる円筒の一端開口側から上下に略円弧状に延びたアーム部４１ａ、４１ｂが形成され、この両アーム部４１ａ、４１ｂの幅間隔および突出長さは、光ケーブルＰの９０度角度範囲まで屈曲を許容させることが可能となる曲げスペースが旋回カバー１０ｃ内部で形成されることが可能な程度に設定されている。また、アーム部４１ａ、４１ｂの片側は円形状に塞がれており、その一部には段差部４２を設け、屈曲カバー１０ｂの下側への９０度角度の回転に際し、該屈曲カバー１０ｂの段差部４２が旋回カバー１０ｃの上側内面で係止されるようにしてある。
【００３７】
さらに、図６（ｃ）乃至（ｆ）、図９（ａ）乃至（ｅ）に示すように、屈曲カバー１０ｂの段差部４２には、回転軸カバー１０ａおよび屈曲カバー１０ｂとの間に介装した内部カバー１０ｄに係合連繋させるための凸部４３を形成してあり、該内部カバー１０ｄは屈曲カバー１０ｂに押されて９０度屈曲位置で回転軸カバー１０ａのヒンジ突起部３２相互間の凹部３１に係止され、当該回転軸カバー１０ａに対する旋回カバー１０ｃの回転を阻止させることで既述の回転制御部１６を形成している。
【００３８】
また、この回転制御部１６は、屈曲カバー１０ｂの９０度屈曲位置から水平位置までの復帰移動によって当該屈曲カバー１０ｂの凸部４３により内部カバー１０ｄが押されて回転軸カバー１０ａの凹部３１との係止を解除させることで回転軸カバー１０ａに対する旋回カバー１０ｃの回転を許容させるものとしてある。
【００３９】
これによって、図５（ａ）に示すように、ブーツ８の向きが水平位置にある場合は、回転軸カバー１０ａに対して旋回カバー１０ｃが旋回可能な状態となる。そして、この状態において、図５（ｂ）に示すように、屈曲カバー１０ｂを介してブーツ８の向きを下側９０度方向に屈曲させると、該屈曲カバー１０ｂによって内部カバー１０ｄが押される。これによって内部カバー１０ｄは回転軸カバー１０ａのヒンジ突起部３２相互間の凹部３１に係止されることから、当該回転軸カバー１０ａに対する旋回カバー１０ｃの旋回が阻止される。
【００４０】
また、ブーツ８の向きを水平方向に復帰回転させると、図９（ａ）乃至（ｄ）に示すように、屈曲カバー１０ｂによって内部カバー１０ｄが逆方向に押し戻され、再び回転軸カバー１０ａに対して旋回カバー１０ｃが旋回可能な状態となる。
【００４１】
そして、図５（ｃ）に示すように、旋回カバー１０ｃを例えば１８０度旋回させた後に、図５（ｄ）に示すように、屈曲カバー１０ｂを介してブーツ８の向きを上側９０度方向に屈曲させると、該屈曲カバー１０ｂによって内部カバー１０ｄが押される。これによって内部カバー１０ｄは回転軸カバー１０ａのヒンジ突起部３２相互間の凹部３１に係止されることから、当該回転軸カバー１０ａに対する旋回カバー１０ｃの旋回が阻止される。
【００４２】
ストップリング５の後部には、前記したとおり、共に金属からなるカシメリング６およびアイレット７が配置されている。すなわち、図１に示したように、カシメリング６は、大径の前側筒部６ａと小径の後側筒部６ｂとが略中央の段差部６ｃを介して連設されて成り、前側筒部６ａは、光ケーブルＰの切断されたシースＰ２内側のケブラＰ１と共にストップリング５の後部外周に嵌着される。また、後側筒部６ｂは、シースＰ２の切断端部を被せた状態にしてから外側からアイレット７側にかしめることにより当該シースＰ２は固定される。こうして、カシメリング６の後側筒部６ｂのカシメを介してアイレット７と外皮であるシースＰ２は固定される。
【００４３】
また、プラグフレーム３は、丸型構造に形成されると共に、当該プラグフレーム３の上下対称位置には、ツマミ９に形成された上下対称位置のキー孔に対応して一対のガイド部を形成してある。このガイド部は、プラグフレーム３にツマミ９を装着する際に、当該ツマミ９に形成された上下対称位置のキー孔に対し１方向で嵌挿されるよう当該ガイド部は互いに異なった幅員となるように形成されている。
【００４４】
さらに、図１および図４に示すように、ツマミ９の片側には、光コンセントアダプタＱに対して一方向からの接続を可能とするようにガイドさせるために、接続アダプタのキー孔に挿入可能なガイド突起９ａが形成されている。
【００４５】
図１０（ａ）および図１０（ｂ）は旋回屈曲式コネクタの使用の一例を示すもので、Ｍは光分岐ボックスＢに可撓性パイプ１７を介して連結されたアウトレットボックス、ＱはアウトレットボックスＭの正面板に取り付けられた光コンセントアダプタである。
【００４６】
同図において、光コンセントアダプタＱは後端において光分岐ボックスＢに光ケーブルＰを介して接続される。一方、前端においてパソコンＲに光ケーブルＰを介して接続された旋回屈曲式コネクタ１が着脱自在に接続される。
【００４７】
次に、以上のように構成された本発明旋回屈曲式コネクタの組立・使用の一例について詳細に説明する。
先ず、本発明における可動手段１０を形成するに際し、図２（ａ）に示すように、一方の旋回カバー１０ｃの内側に形成した軸部１１に、内部カバー１０ｄを介して、ブーツ８を後端に固定した屈曲カバー１０ｂを回動自在に枢着すると共に、左右の旋回カバー１０ｃそれぞれの一端開口部に回転軸カバー１０ａのフランジを挟み込むようにして、当該左右の旋回カバー１０ｃそれぞれをパッチン爪による嵌合方式によって互いに合致固定させる（図２（ｂ）参照）。
【００４８】
このとき、図３に示すように、ブーツ８に予め挿入されている光ケーブルＰの切断端部は、旋回カバー１０ｃ内の屈曲カバー１０ｂ、回転軸カバー１０ａそれぞれを通って当該回転軸カバー１０ａの先端から外方へ引き出しておく。
【００４９】
そして、光ケーブルＰの切断端部からシースＰ２およびケブラＰ１を剥き出し状態にしてから、カシメリング６の後側筒部６ｂに配したアイレット７にシースＰ２の切断端部を被せておき、該後側筒部６ｂをかしめることでアイレット７とシースＰ２を挟み固定する。
【００５０】
そして、カシメリング６の前側筒部６ａを、シースＰ２の切断端部から拡げられたケブラＰ１と共にストップリング５の後部外周に嵌着する。
【００５１】
しかる後、前記ブーツ８と共に可動手段１０を光ケーブルＰの切断端部側に移動させ、ストップリング５の嵌合凹部１２に、回転軸カバー１０ａの嵌合突部１３を自らの撓曲によって嵌合させる。そして、ストップリング５外周の嵌合凹部１２に、回転軸カバー１０ａの先端の嵌合突部１３を嵌合させると共に、上下一対の係止片１４を、ストップリング５外周を覆うプラグフレーム３の上下一対のキー溝１５に係止させる（図１、図３および図５参照）。
【００５２】
また、光ファイバ芯線ａの先端はフェルール２に挿入され、接着剤等で接着されることにより光ファイバ芯線ａが固定される。フェルール２はその後端にフランジ２１が圧入保持されている。
【００５３】
そして、フェルール２のフランジ２１後端からスプリング４が挿入され、さらにプラグフレーム３およびストップリング５が所定の位置にそれぞれ挿入配置される。このとき、ストップリング５の上方に設けられた凸部５ａがプラグフレーム３に対する挿入用ガイドとなり、一方、ストップリング５の下方に設けられたフック部３ａがプラグフレーム３の係止孔３ｂに係止されることで抜け止めの役割を果たす。
【００５４】
このとき、スプリング４は、フェルール２後端のフランジ２１およびストップリング５の間に挟まれるように配置され、フェルール２を前方に常時付勢させるように作用する。
【００５５】
最後に、ツマミ９がプラグフレーム３およびストップリング５の外側に被せられる。このとき、ツマミ９に形成された上下対称位置のキー孔に対し、プラグフレーム３が１方向で嵌挿される（図４参照）。
【００５６】
旋回屈曲式コネクタ１の使用に際しては、図１０（ａ）に示すように、各種光通信機器を接続するために室内の壁面に設置されたアウトレットボックスＭに内装された光コンセントアダプタＱに当該旋回屈曲式コネクタ１を接続する。
【００５７】
例えば、パソコンＲからの相手側の光コネクタプラグ１を光コンセントアダプタＱの相手側端子に接続させるに際し、図１０（ｂ）に示すように、前記パソコンＲが光コンセントアダプタＱの下方側に配置されている場合には、可動手段１０における旋回カバー１０ｃを回転軸カバー１０ａに対して旋回させ、屈曲カバー１０ｂを旋回カバー１０ｃに対して下側９０度まで回転させる。
【００５８】
このとき、図５（ａ）に示すように、ブーツ８が水平位置にある場合は、回転軸カバー１０ａに対して旋回カバー１０ｃが旋回可能な状態となっている。そして、図５（ｂ）に示すように、屈曲カバー１０ｂを介してブーツ８を下側９０度方向に屈曲させると、該屈曲カバー１０ｂによって内部カバー１０ｄが押されて、内部カバー１０ｄは回転軸カバー１０ａのヒンジ突起部３２相互間の凹部３１に係止されることから、当該回転軸カバー１０ａに対する旋回カバー１０ｃの旋回が阻止される。こうして、ブーツ８および光ケーブルＰが下向きに延長されるように回転される。
【００５９】
一方、前記パソコンＲが光コンセントアダプタＱの上方側に配置されている場合には、
ブーツ８を水平方向に復帰回転させると、図９（ａ）乃至（ｄ）に示すように、屈曲カバー１０ｂによって内部カバー１０ｄが逆方向に押し戻され、再び回転軸カバー１０ａに対して旋回カバー１０ｃが旋回可能な状態となる。
【００６０】
そして、図５（ｃ）に示すように、旋回カバー１０ｃを例えば１８０度旋回させた後に、図５（ｄ）に示すように、屈曲カバー１０ｂを介してブーツ８を上側９０度方向に屈曲させる。このとき、屈曲カバー１０ｂによって内部カバー１０ｄが押されて、内部カバー１０ｄは回転軸カバー１０ａのヒンジ突起部３２相互間の凹部３１に係止されることから、当該回転軸カバー１０ａに対する旋回カバー１０ｃの旋回が阻止される。こうして、ブーツ８および光ケーブルＰが上向きに延長されるように回転される。
【００６１】
このようにしてブーツ８は可動手段１０を介して１８０度旋回後に９０度だけ屈曲回転されることから、光コンセントアダプタＱが壁面の下側もしくは上側、あるいは天井等の如何なる場所に設置されていても、光コンセントアダプタＱに接続された外部の旋回屈曲式コネクタ１自体が周辺機器の障害とはならないのである。しかも、ブーツ８はこの可動手段１０を介して９０度に屈曲されることから、光ケーブルＰの曲げ半径（例えばＲ１５）を十分に採れるものとなって伝送損失の増加を抑制する。
【図面の簡単な説明】
【００６２】
【図１】本発明を実施するための最良の形態における旋回屈曲式コネクタの一例を示す側面側から見た断面図である。
【図２】同じく旋回屈曲式コネクタの可動手段の内部構造を示すもので、（ａ）は分解斜視図、（ｂ）は可動手段の組み付け状態の斜視図である。
【図３】同じくプラグフレーム、ストップリング、カシメリング、可動手段（回転軸カバー、旋回カバー、ブーツと一体の屈曲カバー、内部カバー）を分解した状態の斜視図である。
【図４】同じくプラグフレーム、ストップリング、カシメリング、可動手段（回転軸カバー、旋回カバー、ブーツと一体の屈曲カバー、内部カバー）を組み付け、さらにツマミを取り付ける状態の斜視図である。
【図５】同じく可動手段の動作を説明するもので、（ａ）はブーツが直線上に延びている状態の断面図、（ｂ）はブーツを可動手段により下方向に９０度だけ屈曲した状態の断面図、（ｃ）は可動手段によりブーツを１８０度旋回させた状態の断面図、（ｄ）は旋回後のブーツを可動手段により上方向に９０度だけ屈曲した状態の断面図である。
【図６】同じく可動手段の動作を説明するもので、（ａ）は旋回カバーの側面図、（ｂ）は内部カバーを有する屈曲カバーの側面図、（ｃ）は旋回カバーに対して屈曲カバーが水平位置にある状態の断面図、（ｄ）は旋回カバーに対して屈曲カバーが４５度だけ下側に回転させた状態の断面図、（ｅ）は旋回カバーに対して屈曲カバーが９０度だけ下側に回転させた状態の断面図、（ｆ）は（ｅ）の位置から屈曲カバーが４５度だけ上側に回転復帰させた状態の断面図である。
【図７】同じく可動手段における回転制御部の構成の一例を示すもので、（ａ）は回転軸カバーの側面図、（ｂ）は旋回カバーの側面図、（ｃ）は旋回カバーの側面から見た断面図である。
【図８】同じく可動手段における旋回角度固定動作を説明するもので、（ａ）は回転軸カバーに対して旋回カバーが定位置にある状態の一部切欠側面図、（ｂ）は同じく背面図、（ｃ）は回転軸カバーに対して旋回カバーが定位置から９０度旋回した状態の一部切欠側面図、（ｄ）は同じく背面図、（ｅ）は回転軸カバーに対して旋回カバーが定位置から１８０度旋回した状態の一部切欠側面図、（ｆ）は同じく背面図、（ｇ）は回転軸カバーに対して旋回カバーが定位置から２７０度旋回した状態の一部切欠側面図、（ｈ）は同じく背面図である。
【図９】同じく可動手段における回転制御部の動作を説明するもので、（ａ）は屈曲カバーが旋回カバー内で下側に９０度屈曲している状態の断面図、（ｂ）は（ａ）の状態から４５度上側に復帰回転した状態の断面図、（ｃ）は屈曲カバーが水平方向に復帰回転した状態の断面図、（ｄ）は屈曲カバーが水平方向に復帰回転した後に旋回カバーを１８０度旋回した状態の断面図、（ｅ）は（ａ）の状態における回転制御部の拡大断面図である。
【図１０】旋回屈曲式コネクタの使用状態の一例を示すもので、（ａ）は旋回屈曲式コネクタを壁面に設置されたアウトレットボックス内に設けられた光コンセントアダプタに接続する状態の一部切欠断面図、（ｂ）はパソコンが光コンセントアダプタの下方側に配置されている場合での使用状態を示す一部切欠断面図である。
【符号の説明】
【００６３】
Ｐ              光ケーブル
Ｐ１            ケブラ
Ｐ２            シース
Ｑ              光コンセントアダプタ
Ｒ              パソコン
Ｍ              アウトレットボックス
Ｂ              光分岐ボックス
ａ              光ファイバ芯線
１              旋回屈曲式コネクタ
２              フェルール
３              プラグフレーム
３ａ            フック部
３ｂ            係止孔
４              スプリング
５              ストップリング
５ａ            凸部
６              カシメリング
６ａ            前側筒部
６ｂ            後側筒部
６ｃ            段差部
７              アイレット
８              ブーツ
９              ツマミ
１０            可動手段
１０ａ          回転軸カバー
１０ｂ          屈曲カバー
１０ｃ          旋回カバー
１０ｄ          内部カバー
１１            軸部
１２            嵌合凹部
１３            嵌合突部
１４            係止片
１５            キー溝
１６            回転制御部
１７            可撓性パイプ
２１            フランジ
３１            凹部
３２            ヒンジ突起部
３３            凸部
３４            ガイド溝
３５            凸部
３６            係止凹部
３７            凹部
４１ａ、４１ｂ  アーム部
４２            段差部
４３            凸部
【図１】
0004885895.tif 000002
【図２】
0004885895.tif 000003
【図３】
0004885895.tif 000004
【図４】
0004885895.tif 000005
【図５】
0004885895.tif 000006
【図６】
0004885895.tif 000007
【図７】
0004885895.tif 000008
【図８】
0004885895.tif 000009
【図９】
0004885895.tif 000010
【図１０】
0004885895.tif 000011